(57)【要約】      （修正有）【課題】室内の換気を、後付けできる簡易な構成で、効率良く行うことができる換気システムを提供する。【解決手段】室内の換気を行う換気システムは、部屋の壁面１１における高さ位置が上下の中間部に設けられた給気口２０と、対面する壁面１２に設けられた排気口５０とを備え、給気口２０を覆うように壁面１１に対して扁平な箱状に形成され、給気される空気が壁面１１に沿って流出するように、箱状形態の少なくとも側壁部３１に空気流出口３３が設けられている空気流変換部３０を備え、排気口５０が壁面１２の下部に設けられている。【選択図】図１
0003229774.tif 000002
【実用新案登録請求の範囲】
【請求項１】
部屋の壁面における高さ位置が上下の中間部に設けられた給気口と、対面する壁面に設けられた排気口とを備え、室内の換気を行う換気システムにおいて、
前記給気口を覆うように前記壁面に対して扁平な箱状に形成され、給気される空気が前記壁面に沿って流出するように、箱状形態の少なくとも側壁部に空気流出口が設けられている空気流変換部を備え、前記排気口が前記壁面の下部に設けられていることを特徴とする換気システム。
【請求項２】
前記空気流変換部の箱状形態の下壁部に空気流出口が設けられていることを特徴とする請求項１記載の換気システム。
【請求項３】
前記空気流出口が、複数個の孔形状の開口によって構成されていることを特徴とする請求項１又は２記載の換気システム。
【考案の詳細な説明】
【技術分野】
【０００１】
この考案は、部屋の壁面における高さ位置が上下の中間部に設けられた給気口と、対面する壁面設けられた排気口とを備え、室内の換気を行う換気システムに関する。
【背景技術】
【０００２】
従来の換気システムとしては、例えば、建物内の居室に設けられた給気口及び排気口と、建物の外壁に設けられ、建物内に外気を導入可能な外気導入口とを備え、外気導入口から建物内に導入された外気を給気口に送る送風手段と、動作情報保存手段と、制御手段とを備え、動作情報保存手段は、４つの動作モードからなる動作情報を保存し、制御手段は、動作情報保存手段に保存された動作情報から選定される動作モードに基づいて送風手段の動作を制御する（特許文献１参照）建物換気システムが提案されている。この建物換気システムによれば、夜間の居室の熱こもりをより少ないエネルギーで効率よく軽減して快適な室内環境を実現することができる。
【０００３】
このような従来の換気システムでは、図８に示すように、給気口及び排気口が、どちらも部屋の上側に設けられており、その空気流の解析結果からは、矢印で示されているように、換気風量の大小によって変化する流速にもよるが、室内の上層から上層へ直線的に流れてしまい、換気効率を高めることができなかった。すなわち、換気風量を増やしても、局所的に空気流の流速が高まって換気が行われるだけで、部屋全体の空気を万遍なく効率的に換気することができなかった。例えば、武漢肺炎の原因となっているコロナウィルスの感染予防のためには、室内の換気を頻繁に行うことが推奨されているが、単純に換気風量を増やしても、効率的に換気ができないことになる。これによれば、感染症の予防という目的を達成できず、さらに冷暖房のエネルギーを余分に消費することになる。
【先行技術文献】
【特許文献】
【０００４】
【特許文献１】特開２０１５−２００４３７号公報（第１頁）
【考案の概要】
【考案が解決しようとする課題】
【０００５】
換気システムに関して解決しようとする問題点は、従来の換気システムでは、換気扇が部屋の壁面の上部に配置されるなど、給気口及び排気口が、どちらも部屋の上側に設けられており、効率良く排気がなされない点にある。
【０００６】
そこで本考案の目的は、室内の換気を、後付けできる簡易な構成で、効率良く行うことができる換気システムを提供することにある。
【課題を解決するための手段】
【０００７】
本考案は、上記目的を達成するために次の構成を備える。
本考案に係る換気システムの一形態によれば、部屋の壁面における高さ位置が上下の中間部に設けられた給気口と、対面する壁面に設けられた排気口とを備え、室内の換気を行う換気システムにおいて、前記給気口を覆うように前記壁面に対して扁平な箱状に形成され、給気される空気が前記壁面に沿って流出するように、箱状形態の少なくとも側壁部に空気流出口が設けられている空気流変換部を備え、前記排気口が前記壁面の下部に設けられている。
【０００８】
本考案に係る換気システムの一形態によれば、前記空気流変換部の箱状形態の下壁部に空気流出口が設けられていることを特徴とすることができる。
【０００９】
本考案に係る換気システムの一形態によれば、前記空気流出口が、複数個の孔形状の開口によって構成されていることを特徴とすることができる。
【考案の効果】
【００１０】
本考案に係る換気システムによれば、室内の換気を、後付けできる簡易な構成で、効率良く行うことができるという特別有利な効果を奏する。
【図面の簡単な説明】
【００１１】
【図１】本考案に係る換気システムの形態例を示す断面図である。
【図２】本考案に係る換気システムの空気流変換部の形態例を示す斜視図である。
【図３】本考案に係る換気システムの空気流変換部の他の形態例を示す斜視図である。
【図４】本考案に用いることができるダクトの形態例を示す斜視図である。
【図５】本考案に係る換気システムの他の形態例を示す断面図である。
【図６】本考案の換気システムに係る空気流解析の例を示す透視斜視図である。
【図７】図７の空気流解析係る室内配置の条件を示す透視斜視図である。
【図８】従来の換気システムに係る空気流解析の例を示す透視斜視図である。
【考案を実施するための形態】
【００１２】
以下、本考案に係る換気システムの形態例を、添付図面（図１〜７）に基づいて詳細に説明する。
【００１３】
本考案に係る換気システムは、部屋の壁面１１における高さ位置が上下の中間部に設けられた給気口２０と、対面する壁面１２に設けられた排気口５０とを備え、室内１０の換気を行うものである。
【００１４】
３０は空気流変換部であり、給気口２０を覆うように壁面１１に対して扁平な箱状に形成され、給気される空気が壁面１１に沿って流出するように、箱状形態の少なくとも側壁部３１に空気流出口３３が設けられている。本形態例の空気流変換部３０は、矩形状の箱体であり、内側に、給気口２０の通気路を形成する面積に比べて、十分に広い容積の空間を備えるように形成されている。
【００１５】
また、本形態例では、空気流変換部３０の箱状形態の下壁部３２にも、空気流出口３３が設けられている。そして、その空気流出口３３が、複数個の孔形状の開口によって構成されている。さらに、本形態例について具体的には、左右の側壁部３１と下壁部３２のそれぞれに、孔形状の空気流出口３３が３個ずつ設けられた形態になっている。
【００１６】
また、本形態例について具体的には、空気流変換部３０の前面壁３４（箱体形状の底面）の大きさが、左右幅が９０ｃｍ、上下幅が７０ｃｍで、深さが６ｃｍに設けられ、孔形状の空気流出口３３は、直径が５ｃｍに設けられている。本発明にかかる空気流変換部３０の形態は、このような矩形状やサイズに限定されるものではなく、扁平な形状に設けられていればよい。また、空気流出口３３については、本形態例のような円形の孔形状に限定されるものではなく、他の形状の開口であってもよいし、その開口率を可変できるように例えば偏心軸に軸着された円板を開口調整部材として配してもよい。
【００１７】
そして、本考案に係る換気システムでは、排気口５０が壁面１２の下部に設けられている。本形態例では、壁面１２の天井に近い上端部に設けられた換気扇５１に対して、ダクト５５を介して下部に設けられた排気口５０から空気が案内されて排気されるように設けられている。なお、換気扇５１の取り付けの高さ位置は、壁面１２の下部に設けられた排気口５０に直結させることも可能であり、特に限定されるものではない。また、本形態例では、一つの矩形の排気口５０が設けられているが、これに限定されることはなく、横方向に長く延長された形態であっても良いし、複数が設けられていても良い。
【００１８】
この本考案に係る換気システムによれば、空気の流れ方向を好適に曲げることができ、図６に示すように、空気の流れを好適に分散させることができる。これによって、室内の換気を、後付けできる簡易な構成で、効率良く行うことができるという特別有利な効果を奏する。また、図６の空気流解析によれば、浮遊粒子の排出除去効率が、図８の従来例に比較して、約４０％向上するという結果が得られている。
【００１９】
次に、図２及び図３に基づいて、空気流変換部３０自体の形態や、給気口２０と空気流変換部３０との関係について説明する。
図２に示した形態例では、比較的小さな給気口２０に対して、その給気口２０の側が開放された箱体状の空気流変換部３０が覆うように、配置されるものである。この形態例では、空気流変換部３０の前面壁３４は、完全に塞がれて通気部がないもので、この前面壁３４を利用して装飾をすることができ、例えば、絵画を掛けるスペースとすることもできる。また、この前面壁３４は、遮蔽壁となって騒音を遮断できるものとなっている。
【００２０】
図３に示した形態例では、給気口２０としての窓４０に対して、その給気口２０の側が開放された箱体状の空気流変換部３０が覆うように、配置されるものである。例えば、窓４０の枠に嵌るように形成されていてもよい。これによれば、特別な給気口２０を設けることなく、空気流変換部３０を、後付けで容易且つ適切に設置することができる。
【００２１】
また、図３に示した例では、空気流変換部３０の前面壁３４に、通気口として前述した空気流出口３３と比べて小さな前面壁空気流出口３５が設けられている。この前面壁空気流出口３５を、前面壁３４に適宜に配置することで、換気風量との関係によるが、空気の流れを適切に調整することができる。なお、この前面壁空気流出口３５についても、前述したような開口調整部材を配して通気風量の調整を行うようにしてもよい。  
【００２２】
次に、図４に基づいて、本考案に係る換気システムに用いることができる矩形垂直設置型ダクト５２について説明する。
この矩形垂直設置型ダクト５２によれば、所望の高さ位置に、ダクト開口５３を配置することができ、例えば、図１に示す排気口５０を設けるために設置することができる。さらに、天井から吊り下げた形態とすることで、テーブルルの上にダクト開口５３を配置することで、換気を、効率よく、且つ必要な場所についてスポット的に適切に行うことができる。
【００２３】
また、図４の形態例では、矩形垂直設置型ダクト５２の一対が表裏に貼り合わされた形態になっており、両サイドから換気を効率良く行うことができる形態になっている。さらに、各矩形垂直設置型ダクト５２には、風量調整板５４が抜き差しできるように配置されており、排気の風量を調整することができる。
【００２４】
また、図５に示すように、空気清浄フィルタ６０や送風機７０を、ダクト５５を介して排気口５０から給気口２０の間に配置して循環式の空調換気システムとしてもよい。なお、この循環式の空調換気システムにおいては、外気を適宜に取り込む構成（例えば、ダクト５５に外気を導入するように設けられた開口）を設けることができるのは勿論である。空気清浄フィルタ６０によれば、汚染された空気を清浄化して排気又は循環させることができる。例えば、高清浄効率フィルタ（ＨＥＰＡフィルタ）を用いれば、放射能やウィルスによる汚染を除去でき、熱量を損失しないように、空気を清浄化して循環させることができる。
【００２５】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２６】
１０  室内
１１  壁面
１２  対面する壁面
２０  給気口
３０  空気流変換部
３１  側壁部
３２  下壁部
３３  空気流出口
３４  前面壁
３５  前面壁空気流出口
４０  窓
５０  排気口
５１  換気扇
５２  矩形垂直設置型ダクト
５３  ダクト開口
５４  風量調整板
５５  ダクト
６０  空気清浄フィルタ
７０  送風機
【図１】
0003229774.tif 000003
【図２】
0003229774.tif 000004
【図３】
0003229774.tif 000005
【図４】
0003229774.tif 000006
【図５】
0003229774.tif 000007
【図６】
0003229774.tif 000008
【図７】
0003229774.tif 000009
【図８】
0003229774.tif 000010